【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
複数のネットワークのそれぞれに含まれる通信端末が同一のＰＨＹを用いて通信する通信方法であって、
（ａ）前記複数のネットワークのそれぞれに設けられる制御端末が、各ネットワーク内の通信端末のペアのそれぞれについて、前記通信端末のペアが特定のＱｏＳで通信できるか否かを決定するステップと、
（ｂ）前記制御端末が、前記特定のＱｏＳで通信できると決定された通信端末の各ペアに対して、当該通信可能であること示す第１の指標を割り当て、前記特定のＱｏＳで通信できないと決定された通信端末の各ペアに対して、当該通信不可能であることを示す第２の指標を割り当てるステップと、
（ｃ）前記制御端末が、前記第１の指標が割り当てられた第１の通信端末および第２の通信端末の第１のペアに利用可能なチャネルを割り当てるステップと、
（ｄ）前記制御端末が、前記ステップ（ｂ）で各ペアに割り当てられた第１の指標および第２の指標と、前記ステップ（ｃ）で前記第１のペアに割り当てられたチャネルとの関係を用いて、前記第１のペア以外の通信端末のそれぞれが利用可能なチャネルおよび利用不可能なチャネルを決定するステップと、
（ｅ）前記ステップ（ｄ）の決定結果に基づき、第３の通信端末および第４の通信端末の第２のペアに利用可能なチャネルを割り当てるステップと、を含み、前記ステップ（ｅ）では、前記第１のペアに割り当てられたチャネルについて、前記第１のペアのデータ送信側の通信端末に対する通信可否として前記第２のペアのデータ受信側の通信端末に前記第２の指標が割り当てられており、且つ、前記第２のペアのデータ送信側の通信端末に対する通信可否として前記第１のペアのデータ受信側の通信端末に前記第２の指標が割り当てられている場合に、前記第２のペアに前記第１のペアと同じチャネルを割り当てる
通信方法。
【請求項２】
前記ステップ（ｅ）は、（ｉ）前記第３の通信端末と前記第１の通信端末とのペアおよび（ｉｉ）前記第３の通信端末と前記第２の通信端末とのペアの両方に前記第２の指標が割り当てられている場合に、前記第３の通信端末に対して送信用および受信用の両方のためのチャネルを割り付けるステップを含む、
請求項１に記載の通信方法。
【請求項３】
前記ステップ（ｅ）は、前記第３の通信端末と前記第２の通信端末とのペアに前記第２の指標が割り当てられている場合に、前記第３の通信端末に対して送信のためのチャネルを割り付けるステップを含む、
請求項１に記載の通信方法。
【請求項４】
前記ステップ（ｅ）は、前記第３の通信端末と前記第１の通信端末とのペアに前記第２の指標が割り当てられ、前記第３の通信端末と前記第２の通信端末とのペアに前記第１の指標が割り当てられている場合に、前記第３の通信端末に対して受信のためのチャネルを割り付けるステップを含む、
請求項１に記載の通信方法。
【請求項５】
前記チャンネル・リソースは、時間分割多元接続スキームにおける時間スロット、符号分割多元接続スキームにおける拡散符号、および直交周波数分割多重化スキームにおけるサブ搬送波周波数のうちの１つである、
請求項１に記載の通信方法。
【請求項６】
さらに、
前記第２の通信端末から前記第１の通信端末に対して信号を通信するステップと、
受信された信号に基づいて、特定のＱｏＳを満たしつつ、前記第１の通信端末から前記第２の通信端末に情報を通信するために要求される電力を決定するステップと、
前記決定された電力において前記第１の通信端末から前記第２の通信端末に情報を送信するステップと、
を包含する請求項１に記載の通信方法。
【請求項７】
前記ステップ（ｄ）は、（１）前記第３の通信端末と前記第１の通信端末とのペア、及び前記第３の通信端末と前記第２の通信端末とのペアの両方に前記第２の指標が割り当てられている場合、送受信のための前記第３の通信端末で利用可能なチャネルとしてマーキングするために、前記ステップ（ａ）から前記ステップ（ｂ）で生成されたＭＮＣ（ノード連結性行列）を使用するステップを含む、
請求項１に記載の通信方法。
【請求項８】
前記ステップ（ｄ）は、前記第３の通信端末と前記第１の通信端末とのペア、及び前記第３の通信端末と前記第２の通信端末とのペアの両方に前記第１の指標が割り当てられている場合、送受信のための前記第３の通信端末で利用不可能なチャネルとしてマーキングするために、前記ステップ（ａ）から前記ステップ（ｂ）で生成されたＭＮＣ（ノード連結性行列）を使用するステップを含む、
請求項１に記載の方法。
【請求項９】
複数のネットワークのそれぞれに含まれる通信装置を同一のＰＨＹを用いて通信させる制御装置であって、
ネットワーク内の通信端末のペアのそれぞれについて、前記通信端末のペアが特定のＱｏＳで通信できるか否かを決定する決定部と、
前記特定のＱｏＳで通信できると決定された通信端末の各ペアに対して、当該通信可能であること示す第１の指標を割り当て、前記特定のＱｏＳで通信できないと決定された通信端末の各ペアに対して、当該通信不可能であることを示す第２の指標を割り当てる判定部と、
前記第１の指標が割り当てられた第１の通信端末および第２の通信端末の第１のペアに利用可能なチャネルを割り当て、各ペアに割り当てられた第１の指標および第２の指標と、前記第１のペアに割り当てられたチャネルとの関係を用いて、前記第１のペア以外の通信端末のそれぞれが利用可能なチャネルおよび利用不可能なチャネルを割り当てるチャネル割り当て部と、を備え、
前記チャネル割り当て部は、
前記第１のペアに割り当てられたチャネルおよび前記第１の指標および前記第２の指標を用いて、第３の通信端末および第４の通信端末の第２のペアに利用可能なチャネルを割り当て、
前記第１のペアに割り当てられたチャネルについて、前記第１のペアのデータ送信側の通信端末に対する通信可否として前記第２のペアのデータ受信側の通信端末に前記第２の指標が割り当てられており、且つ、前記第２のペアのデータ送信側の通信端末に対する通信可否として前記第１のペアのデータ受信側の通信端末に前記第２の指標が割り当てられている場合に、前記第２のペアに前記第１のペアと同じチャネルを割り当てる、
制御装置。
【請求項１０】
複数のネットワークのそれぞれに含まれる通信装置を同一のＰＨＹを用いて通信させる集積回路であって、
ネットワーク内の通信端末のペアのそれぞれについて、前記通信端末のペアが特定のＱｏＳで通信できるか否かを決定する決定部と、
前記特定のＱｏＳで通信できると決定された通信端末の各ペアに対して、当該通信可能であること示す第１の指標を割り当て、前記特定のＱｏＳで通信できないと決定された通信端末の各ペアに対して、当該通信不可能であることを示す第２の指標を割り当てる判定部と、
前記第１の指標が割り当てられた第１の通信端末および第２の通信端末の第１のペアに利用可能なチャネルを割り当て、各ペアに割り当てられた前記第１の指標および前記第２の指標と、前記第１のペアに割り当てられたチャネルとの関係を用いて、前記第１のペア以外の通信端末のそれぞれが利用可能なチャネルおよび利用不可能なチャネルを割り当てるチャネル割り当て部と、を備え、
前記チャネル割り当て部は、
前記第１のペアに割り当てられたチャネルおよび前記第１の指標および前記第２の指標を用いて、第３の通信端末および第４の通信端末の第２のペアに利用可能なチャネルを割り当て、
前記第１のペアに割り当てられたチャネルについて、前記第１のペアのデータ送信側の通信端末に対する通信可否として前記第２のペアのデータ受信側の通信端末に前記第２の指標が割り当てられており、且つ、前記第２のペアのデータ送信側の通信端末に対する通信可否として前記第１のペアのデータ受信側の通信端末に前記第２の指標が割り当てられている場合に、前記第２のペアに前記第１のペアと同じチャネルを割り当てる、
集積回路。